(57)【特許請求の範囲】
【請求項１】
送風機及び熱交換器を収容する本体ケースと、
前記本体ケースを、前記送風機が収容される空気吸込側筐体部と熱交換器が収容される空気吹出側筐体部とに区画し、前記空気吸込側筐体部と前記空気吹出側筐体部とを連通させる開口部が形成された第一の仕切り体と、
前記第一の仕切り体の前記開口部を覆うカバーと、
を備え、
前記空気吸込側筐体部の底面又は側面には、空気吸込口が形成され、
前記空気吹出側筐体部の側面には、空気吹出口が形成され、
前記カバーは、
前記送風機から送風される空気を通過させる、前記開口部よりも小さい送風口を有し、
前記開口部と前記送風口との間の隙間を塞いでおり、
前記第一の仕切り体に前記空気吸込口側から着脱自在に設けられている、
天井埋込形空気調和装置。
【請求項２】
前記カバーは、
前記空気吸込口から出し入れされる
請求項１に記載の天井埋込形空気調和装置。
【請求項３】
前記送風機を収容するファンケースを更に備え、
前記カバーと前記ファンケースとが一体となって形成された
請求項１に記載の天井埋込形空気調和装置。
【請求項４】
一体となって形成された前記カバーと前記ファンケースとは、
前記空気吸込口から出し入れされる
請求項３に記載の天井埋込形空気調和装置。
【請求項５】
前記熱交換器は、配管部及びフィン部を有し、
前記開口部は、当該開口部からの投影面に、前記熱交換器の配管部が含まれる位置に配置される
請求項１〜４の何れか一項に記載の天井埋込形空気調和装置。
【請求項６】
前記熱交換器は、配管部及びフィン部を有し、
前記開口部は、当該開口部からの投影面に前記配管部が含まれ、前記開口部からの投影面と前記熱交換器のフィン部とが重複する位置に配置される
請求項１〜４の何れか一項に記載の天井埋込形空気調和装置。
【請求項７】
前記熱交換器で発生した凝縮水を貯留し、底部に傾斜を有するドレンパンと、
前記ドレンパンに貯留した凝縮水を排水するドレンポンプと、
前記空気吹出側筐体部の内部において、前記フィン部を有する第一の空間部と前記配管部を有する第二の空間部とに遮断する第二の仕切り体と、を備え、
前記熱交換器の下端部は、上端部より前記第一の仕切り体側に位置し、
前記第二の空間部内に、前記ドレンパンの傾斜した底部の最深部と、前記ドレンポンプとを配置した
請求項５又は６に記載の天井埋込形空気調和装置。
【請求項８】
前記熱交換器で発生した凝縮水を貯留し、底部に傾斜を有するドレンパンと
前記空気吹出側筐体部の底面に設けられ、前記ドレンパンを載置する底板と、を更に備え、
前記底板は、
前記空気吹出側筐体部に回動自在に設けられ、
前記空気吹出側筐体部は、
前記第一の仕切り体と対向する側面に空気を吹き出す前記空気吹出口を有し、前記空気吹出口を有する面と前記ドレンパンとの間に弾性部材を備えた
請求項１〜７の何れか一項に記載の天井埋込形空気調和装置。
【請求項９】
前記ドレンパンは、前記空気吹出側筐体部内において、前記第一の仕切り体と前記空気吹出口を有する面との間で基準の長さ以上、移動可能である
請求項８に記載の天井埋込形空気調和装置。
【請求項１０】
前記空気吸込口は、居室の天井面の上方に形成され、
前記空気吹出口は、居室の壁面に向かって形成されている
請求項１〜９の何れか一項に記載の天井埋込形空気調和装置。
【発明の詳細な説明】
【技術分野】
【０００１】
本発明は、天井埋込形空気調和装置、特にメンテナンスを行うための天井埋込形空気調和装置の構造に関するものである。
【背景技術】
【０００２】
従来の天井埋込形空気調和装置１は、図９に示すように、天井裏に設置されるものであり、天井部材２の所定の位置に点検口６０を設け、メンテナンスの際には点検口６０から作業者が天井裏に入ってメンテナンスを行うものである。そして、作業者は、天井埋込形空気調和装置１の側面にあるサービス用パネル６２を開閉し、天井埋込形空気調和装置１の内部の部品等のメンテナンスを行っていた。近年、居室内の天井の高さを確保するため、天井裏のスペースを小さくする傾向があり、天井埋込形空気調和装置１の本体の高さを低くする薄型タイプの天井埋込形空気調和装置１が要求されるようになってきた。【０００３】
天井埋込形空気調和装置１の本体の薄型化により、天井埋込形空気調和装置１の側面にあるサービス用パネル６２のサイズが小さくなり、側面からのメンテナンスが困難になった。そこで、清掃程度の軽度のメンテナンスを行う場合でも、天井埋込形空気調和装置１の本体の底面にメンテナンスを行うためのサービススペース６１を設け、そこからメンテナンスを行う必要が生じた。【０００４】
しかし、建築物側の制約等で十分なサービススペース６１を確保できなかったり、天井の点検口６０を設けることができないことがある。このため、天井埋込形空気調和装置１のメンテナンス時には天井を開口し、再度天井を閉口させるなどの大掛かりな作業又は工事が必要となる問題があった。【０００５】
そこで、上記の問題を解決するために天井埋込形空気調和装置の下方に天井開口を形成し、取り外し可能なパネルを当該天井開口に設置する。そして、パネルを取り外すことで天井埋込形空気調和装置の下側の天井開口からメンテナンスを容易に行えるようにした天井埋込形空気調和装置が提案されている（例えば特許文献１参照）。
【先行技術文献】
【特許文献】
【０００６】
【特許文献１】特開平９−２８７８１４号公報
【発明の概要】
【発明が解決しようとする課題】
【０００７】
特許文献１に開示された天井埋込形空気調和装置では、メンテナンス用のパネルを天井面に設置する場合、意匠面又は建築物側の制約で、天井面にパネルを設置するための面積を確保できずに、天井面には空気吸込口用のスペースしか確保できない場合がある。これにより、天井埋込形空気調和装置のメンテナンスが天井面から十分に行えなくなるという問題があった。【０００８】
本発明は、上記のような課題を解決するためになされたもので、天井面に天井埋込形空気調和装置の空気吸込口用のスペースしか確保できない場合でも、天井面の空気吸込口用のスペースからメンテナンスを行える構造を備えた天井埋込形空気調和装置を得ることを目的とする。
【課題を解決するための手段】
【０００９】
本発明に係る天井埋込形空気調和装置は、送風機及び熱交換器を収容する本体ケースと、前記本体ケースを、前記送風機が収容される空気吸込側筐体部と熱交換器が収容される空気吹出側筐体部とに区画し、前記空気吸込側筐体部と前記空気吹出側筐体部とを連通させる開口部が形成された第一の仕切り体と、前記第一の仕切り体の前記開口部を覆うカバーと、を備え、前記空気吸込側筐体部の底面又は側面には、空気吸込口が形成され、前記空気吹出側筐体部の側面には、空気吹出口が形成され、前記カバーは、前記送風機から送風される空気を通過させる、前記開口部よりも小さい送風口を有し、前記開口部と前記送風口との間の隙間を塞いでおり、前記第一の仕切り体に前記空気吸込口側から着脱自在に設けられているものである。
【発明の効果】
【００１０】
本発明によれば、空気吹出側筐体と空気吹出側筐体とを連通させる開口部を覆うカバーを空気吸込口を介して着脱自在とする。このようにすることで、天井面に天井埋込形空気調和装置の空気吸込口用のスペースしか確保できない場合でも、天井面の空気吸込口用のスペースからメンテナンスを行える天井埋込形空気調和装置を得ることができる。
【図面の簡単な説明】
【００１１】
【図１（ａ）】本発明の実施の形態１に係る天井埋込形空気調和装置の側面から見た概略断面図である。
【図１（ｂ）】本発明の実施の形態１に係る天井埋込形空気調和装置の側面から見た概略断面図である。
【図２】本発明の実施の形態１に係る天井埋込形空気調和装置の吸込口側から見た概略透視図である。
【図３】本発明の実施の形態１に係る天井埋込形空気調和装置の熱交換器の構成図である。
【図４】本発明の実施の形態１に係る天井埋込形空気調和装置の送風機部側から見た概略断面図である。
【図５（ａ）】本発明の実施の形態１に係る天井埋込形空気調和装置のメンテナンス作業前の状態を表す概略断面図である。
【図５（ｂ）】本発明の実施の形態１に係る天井埋込形空気調和装置のメンテナンス作業中の状態を表す概略断面図である。
【図５（ｃ）】本発明の実施の形態１に係る天井埋込形空気調和装置のメンテナンス作業前の状態を表す概略断面図である。
【図５（ｄ）】本発明の実施の形態１に係る天井埋込形空気調和装置のメンテナンス作業中の状態を表す概略断面図である。
【図６】本発明の実施の形態２に係る天井埋込形空気調和装置の送風機部側から見た概略断面図である。
【図７（ａ）】本発明の実施の形態３に係る天井埋込形空気調和装置の側面から見た概略断面図である。
【図７（ｂ）】本発明の実施の形態３に係る天井埋込形空気調和装置の側面から見たドレンパンの着脱方法を示す概略断面図である。
【図７（ｃ）】本発明の実施の形態３に係る天井埋込形空気調和装置のドレンパンの寸法を示す概略断面図である。
【図８（ａ）】本発明の実施の形態４に係る天井埋込形空気調和装置の天井吹出口側から見た概略断面図である。
【図８（ｂ）】本発明の実施の形態４に係る天井埋込形空気調和装置の側面から見た概略断面図である。
【図９】従来の天井埋込形空気調和装置のメンテナンス方法を示す斜視図である。
【発明を実施するための形態】
【００１２】
以下、本発明の天井埋込形空気調和装置の実施の形態について、図面を参照して説明する。なお、図面の形態は一例であり、本発明を限定するものではない。また、各図において同一の符号を付したものは、同一の又はこれに相当するものであり、これは明細書の全文において共通している。さらに、以下の図面では各構成部材の大きさの関係が実際のものとは異なる場合がある。
【００１３】
実施の形態１．
［天井埋込形空気調和装置１の構成］
図１は、本発明の実施の形態１に係る天井埋込形空気調和装置の側面から見た概略断面図である。図１に示されるように、天井部材２は、居室空間の天井部分に設けられている。天井部材２（天井面）の上部には、天井埋込形空気調和装置１などの設備を格納する空間が形成されている。天井部材２は天井吸込口（図示省略）を有し、当該天井吸込口には空気を通せる格子状部材３が着脱自在に備えられている。天井吸込口の上部には、天井埋込形空気調和装置１が設置され、天井吸込口に設けられた格子状部材３を取り外すと天井埋込形空気調和装置１へのアクセスが可能となっている。
【００１４】
また、天井埋込形空気調和装置１の側面側には、天井吹出口（図示省略）が形成された居室の壁面６があり、当該壁面６の天井吹出口には、空気を通せる格子状部材４が着脱自在に備えられている。
【００１５】
天井埋込形空気調和装置１は、本体ケース１ａを有し、本体ケース１ａは、ファンプレート１７によって内部が送風機部１９と熱交換器部２０とに区画されている。送風機部１９の底面には、後述する空気吸込口５が設けられ、空気吸込口５にはエアフィルタ７が設けられている。また、送風機部１９の内部にはファンケース８及びファン８ａが設けられている。なお、空気吸込口５は天井部材２（天井面）の上方に形成されている。
【００１６】
熱交換器部２０の内部の下方にはドレンパン１１が設けられ、ドレンパン１１の上方にはドレンポンプ１２及び熱交換器９が設けられている。さらに、ドレンパン１１の送風機部１９側には後述する水抜き口１３が設けられている。熱交換器部２０の側面には、空気を吹き出す空気吹出口５３及びダクト１０が設けられ、ダクト１０は天井吹出口に接続されている。なお、空気吹出口５３は壁面６に向かって形成されている。
【００１７】
なお、ファン８ａは本発明における「送風機」に相当する。また、送風機部１９は本発明における「空気吸込側筐体部」に相当する。また、熱交換器部２０は本発明における「空気吹出側筐体部」に相当する。また、ファンプレート１７は本発明における「第一の仕切り体」に相当する。
【００１８】
［天井埋込形空気調和装置１の動作］
天井埋込形空気調和装置１のファン８ａが回転すると、送風機部１９の内部のファンケース８の吸込側が負圧となり、居室内の空気は、図１の矢印に示す通り天井面に設置された格子状部材３を通り、天井埋込形空気調和装置１の内部へ吸引される。なお、図１中の矢印は空気の流れを示す。天井埋込形空気調和装置１の内部へ吸引される空気は、エアフィルタ７及びファンケース８を通り、熱交換器部２０に吹き出される。熱交換器部２０に吹き出された空気は、熱交換器９を通過し、天井埋込形空気調和装置１を出て、ダクト１０及び天井吹出口を通って再び居室内に吹き出される。冷房運転時において、居室内に吹き出される空気は、冷媒により冷却された熱交換器９を通過することで冷やされる。
【００１９】
ここで、冷房運転時において、熱交換器９内の冷媒と、居室内に吹き出される空気とが熱交換を行う際に、熱交換器９内の冷媒の温度が、空気中に含まれる水蒸気の露点温度以下となる場合、熱交換器９に凝縮水（結露）が生じる。そこで、この凝縮水を貯留し、排水するためにドレンパン１１が熱交換器９の下方に設けられている。
【００２０】
熱交換器９にて生じた凝縮水は、熱交換器９の下方に設置されたドレンパン１１に流れ、ドレンパン１１の底部に設けられた傾斜によって、一カ所に集められる。凝縮水が集まるドレンパン１１の最深部にはドレンポンプ１２が設置され、ドレンポンプ１２の運転により、ドレンパン１１の最深部に貯留した凝縮水が排水口１４（図２参照）を介して天井埋込形空気調和装置１の外部へ排水される。また、ドレンパン１１の最深部の端部には、水抜き用の水抜き口１３が設けられ、通常時はゴム栓などで塞がれている。
【００２１】
図２は、本発明の実施の形態１に係る天井埋込形空気調和装置の吸込口側から見た概略透視図である。図２に示されるように、本体ケース１ａの内部はファンプレート１７によって送風機部１９と熱交換器部２０とに区画されている。格子状部材３（図１参照）及び天井埋込形空気調和装置１の底面にあるエアフィルタ７（図１参照）を取り外すと、天井埋込形空気調和装置１の送風機部１９の内部を確認することができる。
【００２２】
送風機部１９内には２つのファンケース８、電動機１５及び後述するカバー１６が設けられている。なお、電動機１５の軸など、本実施の形態１の説明に不要な部材等の記載は便宜上、省略する。ファンプレート１７は、天井埋込形空気調和装置１の強度を増すための部材としての役割を果たすことに加えて、負圧となる送風機部１９と正圧となる熱交換器部２０とを仕切る役割を果たす。ファンプレート１７には、ファンケース８からの吹き出し空気を通すためのファン開口部２１を設ける必要があり、そのため、ファンプレート１７には、ファンケース８からの吹き出し空気を通すためのファン開口部２１として必要な開口面積よりも大きいファンプレート開口部１８が形成されている。送風機部１９及び熱交換器部２０は、ファンプレート開口部１８を介して連通している。なお、本実施の形態１では、２つのファンケース８を設けた例を示したが、本発明はこれに限定されず、ファンケースを１つ設けても、又は３つ以上設けてもよい。このことは、後述する実施の形態２〜４についても同様である。
【００２３】
なお、ファンプレート開口部１８は本発明における「開口部」に相当する。また、ファン開口部２１は本発明における「送風口」に相当する。
【００２４】
ここで、ファンプレート開口部１８は、ファンケース８からの吹き出し空気を通すためのファン開口部２１よりも面積が大きい。このため、送風機部１９及び熱交換器部２０内の空気が、ファンプレート開口部１８とファン開口部２１との隙間を介して互いに混入してしまう。そこで、上記の隙間を塞いで送風機部１９及び熱交換器部２０を互いに独立な空間とし、空気の混入を防止するために、カバー１６がファンケース８と一体となって形成され、ファンプレート開口部１８を覆うように取り付けられている。
【００２５】
カバー１６は、送風機部１９側からファンプレート１７に対して着脱可能なネジ（図示省略）等で取り付けられている。これにより、作業者は、格子状部材３（図１参照）及びエアフィルタ７（図１参照）を取り外すことで、後述する空気吸込口５を介して、カバー１６のネジに直接アクセスし、当該ネジを取り外すことでカバー１６をファンプレート１７から取り外すことができる。
【００２６】
なお、本実施の形態１において、ファンケース８とカバー１６とが一体となって設けられている例を示したが、本発明はこれに限定されず、ファンケース８とカバー１６とを２つの別部品として構成してもよい。
また、図１（ａ）、図５（ａ）、図５（ｂ）では、送風機部１９の底面に空気吸込口５が形成された例を示したが、本発明はこれに限定されず、空気吸込口５が図１（ｂ）、図５（ｃ）、図５（ｄ）に示すような天井埋込形空気調和装置１の背面（側面）にある構成としてもよい。
【００２７】
図３は、本発明の実施の形態１に係る天井埋込形空気調和装置の熱交換器の構成図である。図３に示されるように、熱交換器９は、フィン部３０に加えて、絞り装置（図示省略）、冷媒分配器２２ａ、冷媒配管２２ｂ、及び配管温度を検知する温度検知器（図示省略）などの複数の部品が配置されている配管部３１で構成されている。冷媒分配器２２ａは、冷媒を効率よく複数の経路に分配し、冷媒配管２２ｂは内部において冷媒が流通している。熱交換器９の配管部３１は、熱交換器９の風路外であって、天井埋込形空気調和装置１の側面側のドレンパン１１上に設置されている。また、ドレンポンプ１２（図２参照）も同様に、熱交換器９の風路外であって、天井埋込形空気調和装置１の側面側のドレンパン１１上に設置されている。
【００２８】
図４は、本発明の実施の形態１に係る天井埋込形空気調和装置の送風機部側から見た概略断面図である。図４に示されるように、ファン開口部２１は、必要風量を確保するために必要な開口面積のみで構成されているため、ファンプレート開口部１８より小さい。また、ファン開口部２１は、可能な限り均等に熱交換器９に空気が行き渡るように、ファン開口部２１の投影面上に熱交換器９が位置するように配置される。
【００２９】
ファンプレート開口部１８の左右方向の位置関係については、ファンプレート開口部１８の投影面が、配管部３１を含みつつ、熱交換器９と重複するように設置されている。また、ファンプレート開口部１８の上下方向の位置関係については、ファンプレート開口部１８の投影面が、ドレンパン１１の上端部及び熱交換器９と重複するように設置されている。このように、ファンプレート１７は、大きなファンプレート開口部１８を有するが、ファンプレート開口部１８を原因とするファンプレート１７の強度の低下を防ぐため、ファンプレート１７には絞り及び曲げ（図示省略）などの補強加工がなされている。
【００３０】
図５（ａ）は、本発明の実施の形態１に係る天井埋込形空気調和装置のメンテナンス作業前の状態を表す概略断面図である。また、図５（ｂ）は、本発明の実施の形態１に係る天井埋込形空気調和装置のメンテナンス作業中の状態を表す概略断面図である。
【００３１】
ドレンポンプ１２で凝縮水を排水する場合、凝縮水等に含まれる無機物及び有機物又はこれらの複合体からなるスライム等がドレンパン１１内で発生し、これによりドレンポンプ１２が詰まり、排水が行えないといった不具合が発生することがある。このため、ドレンポンプ１２及びドレンパン１１は、定期的に清掃し、これらのスライム等を除去する必要がある。そこで、ドレンポンプ１２及びドレンパン１１の清掃などのメンテナンスを行う際は、図５（ａ）に示すメンテナンス作業前の状態から、図５（ｂ）に示されるように、格子状部材３（図１参照）及びエアフィルタ７を取り外し、さらにカバー１６及びファンケース８を空気吸込口５から取り外す。なお、空気吸込口５の開口は、カバー１６及びファンケース８を取り出せるような大きさに設計されている。
【００３２】
上述の通り、ファンプレート開口部１８をドレンパン１１の上端部及び熱交換器９の配管部３１に届くように位置及び大きさを設計した。このため、格子状部材３及びエアフィルタ７を取り外すことで、空気吸込口５を介して図５（ｂ）中の矢印の向きからドレンパン１１、ドレンポンプ１２及び配管部３１のメンテナンスを行うことができる。
【００３３】
［実施の形態１の効果］
以上のことから、本実施の形態１に係る天井埋込形空気調和装置１が、ファン８ａ及び熱交換器９が収容される本体ケース１ａと、本体ケース１ａをファン８ａを収容する送風機部１９と熱交換器９を収容する熱交換器部２０とに区画し、送風機部１９と熱交換器部２０とを連通させるファンプレート開口部１８が形成されたファンプレート１７と、ファン８ａから送風される空気を通過させるための送風口を有し、ファンプレート１７のファンプレート開口部１８を覆うカバー１６と、を備える。そして、送風機部１９の底面には、空気吸込口５が形成され、熱交換器部２０の側面には、空気吹出口５３が形成され、カバー１６は、ファンプレート１７に空気吸込口５側から着脱自在に設けられている。
【００３４】
このようにすることで、熱交換器部２０がメンテナンスを可能にする構成を備えていなくても、送風機部１９側の空気吸込口５から熱交換器部２０内のドレンパン１１等のメンテナンスを行うことができる天井埋込形空気調和装置１を得ることができる。
【００３５】
また、本実施の形態１に係る天井埋込形空気調和装置１のカバー１６は、空気吸込口５から出し入れされる。
【００３６】
このようにすることで、メンテナンスの際に送風機部１９内の作業スペースを大きく取ることができ、作業性が向上する天井埋込形空気調和装置１を得ることができる。
【００３７】
また、本実施の形態１に係る天井埋込形空気調和装置１がファン８ａを覆うファンケース８を更に備え、カバー１６とファンケース８とが一体となって形成されており、カバー１６はファンケース８と共に空気吸込口５を介して着脱される。
【００３８】
このようにすることで、カバー１６を取り外す際に、同時にファンケース８も取り外せ、ファンケース８を別途取り外す手間を省くことができる天井埋込形空気調和装置１を得ることができる。
【００３９】
さらに、本実施の形態１に係る天井埋込形空気調和装置１の一体となって形成されたカバー１６とファンケース８は、空気吸込口５から出し入れされる。
【００４０】
このようにすることで、メンテナンスの際に送風機部１９内の作業スペースを大きく取ることができ、作業性が向上する天井埋込形空気調和装置１を得ることができる。
【００４１】
さらに、本実施の形態１に係る天井埋込形空気調和装置１の熱交換器９は、配管部３１及びフィン部３０を有し、ファンプレート開口部１８からの投影面は配管部３１を含むと共に、熱交換器９のフィン部３０と重複する構成とする。
【００４２】
このようにすることで、熱交換器９のフィン部３０、配管部３１及びドレンパン１１のメンテナンスが可能な天井埋込形空気調和装置１を得ることができる。
【００４３】
実施の形態２．
本実施の形態２における天井埋込形空気調和装置１の基本的な構成は実施の形態１における天井埋込形空気調和装置１と同様であるため、以下、実施の形態１との相違点を中心に本実施の形態２を説明する。実施の形態１と本実施の形態２との相違点は、ファンプレート１７の開口部を配管部３１側のみに設けている点である。
【００４４】
図６は、本発明の実施の形態２に係る天井埋込形空気調和装置の送風機部側から見た概略断面図である。図６に示されるように、天井埋込形空気調和装置１のファンプレート１７は、配管部３１側にファン開口部２１とは別の配管側開口部３２を設けている。配管側開口部３２は、投影面が熱交換器９の配管部３１、ドレンパン１１の上端部及びドレンポンプ１２を含む程度に大きく開口している。
【００４５】
また、配管側開口部３２は、専用の配管側開口部カバー３３で覆われている。配管側開口部カバー３３は、送風機部１９側からファンプレート１７に対して着脱可能なネジ（図示省略）等で取り付けられている。これにより、作業者は、格子状部材３（図１参照）及びエアフィルタ７（図１参照）を取り外すことで、空気吸込口５を介して配管側開口部カバー３３のネジに直接アクセスできる。そして、作業者は、当該ネジを取り外すことで配管側開口部カバー３３をファンプレート１７から取り外し、配管部３１等をメンテナンスすることができる。
【００４６】
［実施の形態２の効果］
以上のことから、本実施の形態２に係る天井埋込形空気調和装置１の熱交換器９は、配管部３１及びフィン部３０を有する。そして、ファンプレート開口部１８からの投影面は、熱交換器９の配管部３１を含む構成とした。
【００４７】
このようにすることで、ファンケース８と本体ケース１ａの側板との間に十分なスペースがあり、配管側開口部３２からのみで、熱交換器部２０側のメンテナンスが行える場合には、ファンケース８を取り外さずにメンテナンスが行える。したがって、ファンケース８を取り外す手間を省き、メンテナンス性及び作業性を向上させる天井埋込形空気調和装置１を得ることができる。
【００４８】
実施の形態３．
本実施の形態３における天井埋込形空気調和装置１の基本的な構成は実施の形態１における天井埋込形空気調和装置１と同様であるため、以下、実施の形態１との相違点を中心に本実施の形態３を説明する。実施の形態１と本実施の形態３との相違点は、熱交換器部２０の底板４０が天井埋込形空気調和装置１に対して回動自在に設けられている点である。
【００４９】
図７（ａ）は、本発明の実施の形態３に係る天井埋込形空気調和装置の側面から見た概略断面図である。図７（ａ）に示されるように、熱交換器部２０の底面を構成する底板４０は、送風機部１９側がファンプレート１７にネジ４１で留められている。一方、底板４０の空気吹出口５３側は蝶番４２で固定されており、ネジ４１を外すと、底板４０は蝶番４２を軸として回動自在となる。
【００５０】
ファンプレート１７には、ドレンパン１１に設けられた水抜き口１３を挿入するための逆Ｕ字型の切り欠き（図示省略）が設けられている。底板４０がファンプレート１７にネジ４１で固定されているときは、水抜き口１３はファンプレート１７の逆Ｕ字型の切り欠きに挿入された状態となっている。
【００５１】
また、空気吹出口５３を有する熱交換器部２０の側面（ファンプレート１７に対向する面）側には、クッション材４３及びクッション材４４が設けられている。底板４０をネジ４１でファンプレート１７に固定するときに、ドレンパン１１の吹出側端部１１ｂと、空気吹出口５３を有する熱交換器部２０の側面との間で、クッション材４３及びクッション材４４が圧縮される。そして、その反発力によってドレンパン１１及び底板４０が緩みなく固定される。
【００５２】
なお、クッション材４３は本発明における「弾性部材」に相当する。
【００５３】
図７（ｂ）は、本発明の実施の形態３に係る天井埋込形空気調和装置の側面から見たドレンパンの着脱方法を示す概略断面図である。図７（ｂ）に示されるように、ネジ４１を取り外すと底板４０は蝶番４２を回転軸として下向きに回転することができる。そして、一定の角度、底板４０を下向きに回転させると、ドレンパン１１を図７（ｂ）中の矢印で示した方向へ引き出すことができる。
【００５４】
図７（ｃ）は、本発明の実施の形態３に係る天井埋込形空気調和装置のドレンパンの寸法を示す概略断面図である。図７（ｃ）に示されるように、ドレンパン１１の長さをＬとし、ドレンパン１１の高さ（吸込側端部１１ａ及び吹出側端部１１ｂの高さ）をｈとする。
【００５５】
ここで、上記の図７（ａ）で示した状態から、底板４０を回動させ図７（ｂ）で示した状態にする際に、吸込側端部１１ａがファンプレート１７に当接していると、吸込側端部１１ａがファンプレート１７に引っかかってしまい、底板４０を回動させることができない。そこで、クッション材４３は、ドレンパン１１を熱交換器部２０に取り付けた状態で更に基準の長さ以上の圧縮が可能となるように設計されている。このようにすることで、ファンプレート１７を基準の長さだけ空気吹出口５３側に移動させることができ、吸込側端部１１ａとファンプレート１７とを離すことにより、底板４０を回動させることができる。
【００５６】
ここで、上記の基準の長さをｄとすると、ｄはＬ及びｈを用いて以下の式により求められる。
ｄ＝（Ｌ２＋ｈ２）０．５−Ｌ
【００５７】
なお、本実施の形態３において、ｄを上記の式により求めたが、本発明はこれに限定されず、吸込側端部１１ａ及びファンプレート１７との距離と、ドレンパン１１を取り付けた状態でのクッション材４３の圧縮しろとの和がｄの値以上となるようにしてもよい。つまり、ドレンパン１１は、熱交換器部２０のファンプレート１７側から空気吹出口５３側へ基準の長さｄ以上の距離を移動できればよい。
【００５８】
［実施の形態３の効果］
以上のことから、天井埋込形空気調和装置１は、熱交換器９で発生した凝縮水を貯留し、底部に傾斜を有するドレンパン１１と熱交換器部２０の底面に設けられ、ドレンパン１１を載置する底板４０と、を更に備える構成とした。そして、天井埋込形空気調和装置１の底板４０は、熱交換器部２０に回動自在に設けられ、熱交換器部２０は、ファンプレート１７と対向する側面に空気を吹き出す空気吹出口５３を有し、空気吹出口５３を有する面とドレンパン１１との間にクッション材４３を備える構成とした。
【００５９】
本実施の形態３によれば、上記の実施の形態１の効果に加えて、底板４０をネジ４１でファンプレート１７に固定するときに、ドレンパン１１の吹出側端部１１ｂと熱交換器部２０との間でクッション材４３及びクッション材４４が圧縮されるようになった。これにより、クッション材４３及びクッション材４４の反発力によってドレンパン１１及び底板４０が緩みなく固定される天井埋込形空気調和装置１を得ることができる。
【００６０】
また、天井埋込形空気調和装置１のドレンパン１１は、熱交換器部２０内において、ファンプレート１７と空気吹出口５３を有する面との間で基準の長さ以上、移動可能である構成とした。
【００６１】
このようにすることで、ドレンパン１１は底板４０と一体となって蝶番４２を回転軸として回動することができ、作業者はドレンパン１１を引き出してメンテナンスをすることが可能な天井埋込形空気調和装置１を得ることができる。
【００６２】
実施の形態４．
本実施の形態４における天井埋込形空気調和装置１の基本的な構成は実施の形態１における天井埋込形空気調和装置１と同様であるため、以下、実施の形態１との相違点を中心に本実施の形態４を説明する。実施の形態１と本実施の形態４との相違点は、熱交換器９のフィン部３０と配管部３１との間に熱交換器カバー５１を設け、熱交換器部２０の内部をフィン部３０を有する第一の空間部７０と、配管部３１を有する第二の空間部７１とに分けている点である。
【００６３】
図８（ａ）は、本発明の実施の形態４に係る天井埋込形空気調和装置の天井吹出口側から見た概略断面図である。また、図８（ｂ）は、本発明の実施の形態４に係る天井埋込形空気調和装置の側面から見た概略断面図である。図８（ａ）に示されるように、格子状部材４を取り外すと、天井埋込形空気調和装置１の空気吹出口５３側を確認することができる。空気吹出口５３の隣には、前面点検カバー５０が設けられている。また、空気吹出口５３からは、天井埋込形空気調和装置１の内部に設けられている熱交換器９を見ることができる。
【００６４】
図８（ｂ）に示されるように、熱交換器９の上端部は空気吹出口５３側に位置し、下端部はファンプレート１７側に位置することで傾いて設置されているため、ドレンパン１１の奥まで確認することができる。これにより、熱交換器部２０の内部の視認性が良くなり、清掃等のメンテナンスも容易に行うことができる。
【００６５】
図８（ａ）に示されるように、熱交換器カバー５１は、熱交換器９のフィン部３０を有する第一の空間部７０と、熱交換器９の配管部３１を有する第二の空間部７１とに遮断し、熱交換器９の配管部３１側からバイパスして流れ込む空気を防ぐ。熱交換器カバー５１は、傾いて設置された熱交換器９の傾きに応じた形状により構成され、図８（ｂ）の例では略三角形を形成している。
【００６６】
なお、熱交換器カバー５１は本発明における「第二の仕切り体」に相当する。
【００６７】
前面点検カバー５０は、熱交換器９の配管接続部などがある第二の空間部７１側に設置され、熱交換器カバー５１と本体ケース１ａとにネジ５２で固定されている。なお、ネジ５２は、本体ケース１ａの内部からではなく本体ケース１ａの外部から、つまり空気吹出口５３側から取り外しが可能な向きに取り付けられている。
【００６８】
ドレンパン１１の底部には傾斜が設けられ、熱交換器９から滴下した凝縮水が底部の傾斜に沿って流れ、凝縮水は、第二の空間部７１に設けられたドレンパン１１の最深部に集まる。ネジ５２を取り外し、前面点検カバー５０を外すと、熱交換器９の配管部３１、ドレンポンプ１２及びドレンパン１１の最深部を確認することができる。
【００６９】
［実施の形態４の効果］
以上のことから、天井埋込形空気調和装置１は、熱交換器９で発生した凝縮水を貯留し、底部に傾斜を有するドレンパン１１と、ドレンパン１１に貯留した凝縮水を排水するドレンポンプ１２と、熱交換器部２０の内部において、フィン部３０を有する第一の空間部７０と配管部３１を有する第二の空間部７１とに遮断する熱交換器カバー５１と、を備える構成とした。そして、熱交換器９の下端部は、上端部よりファンプレート１７側に位置し、第二の空間部内に、ドレンパン１１の傾斜した底部の最深部と、ドレンポンプ１２とを配置した。
【００７０】
本実施の形態４によれば、上記の実施の形態１の効果に加えて、前面点検カバー５０を外すことで、吹出口側から配管部３１、ドレンパン１１の最深部及びドレンポンプ１２を確認することができ、居室の壁面側からも容易に清掃等のメンテナンスが可能な天井埋込形空気調和装置１を得ることができる。
【符号の説明】
【００７１】
１  天井埋込形空気調和装置、１ａ  本体ケース、２  天井部材、３  格子状部材、４  格子状部材、５  空気吸込口、６  壁面、７  エアフィルタ、８  ファンケース、８ａ  ファン、９  熱交換器、１０  ダクト、１１  ドレンパン、１１ａ  吸込側端部、１１ｂ  吹出側端部、１２  ドレンポンプ、１３  水抜き口、１４  排水口、１５  電動機、１６  カバー、１７  ファンプレート、１８  ファンプレート開口部、１９  送風機部、２０  熱交換器部、２１  ファン開口部、２２ａ  冷媒分配器、２２ｂ  冷媒配管、３０  フィン部、３１  配管部、３２  配管側開口部、３３  配管側開口部カバー、４０  底板、４１  ネジ、４２  蝶番、４３  クッション材、４４  クッション材、５０  前面点検カバー、５１  熱交換器カバー、５２  ネジ、５３  空気吹出口、６０  点検口、６１  サービススペース、６２  サービス用パネル、７０  第一の空間部、７１  第二の空間部。
【図１（ａ）】
0006524217.tif 000002
【図１（ｂ）】
0006524217.tif 000003
【図２】
0006524217.tif 000004
【図３】
0006524217.tif 000005
【図４】
0006524217.tif 000006
【図５（ａ）】
0006524217.tif 000007
【図５（ｂ）】
0006524217.tif 000008
【図５（ｃ）】
0006524217.tif 000009
【図５（ｄ）】
0006524217.tif 000010
【図６】
0006524217.tif 000011
【図７（ａ）】
0006524217.tif 000012
【図７（ｂ）】
0006524217.tif 000013
【図７（ｃ）】
0006524217.tif 000014
【図８（ａ）】
0006524217.tif 000015
【図８（ｂ）】
0006524217.tif 000016
【図９】
0006524217.tif 000017